(57)【特許請求の範囲】
【請求項１】
透明のゲル状化粧料を充填するための凹状充填部を少なくとも一つ以上備えた化粧料容器であって、
前記凹状充填部は、その充填空間が複数に仕切られることなく単一種類の前記ゲル状化粧料のみが充填されるものであって、少なくとも二つの異なる色に色分けされた底面を有しており、
前記底面の色が相違する領域毎に前記ゲル状化粧料の濃淡が相違する色として視認される、
化粧料容器。
【請求項２】
前記凹状充填部に充填される前記ゲル状化粧料の初期充填深さは、該ゲル状化粧料の透明度が低いほど、浅く設定される、
請求項１に記載の化粧料容器。
【請求項３】
前記ゲル状化粧料には、ラメ剤およびパール剤のうち少なくとも何れかが含有されてなる、
請求項１又は２に記載の化粧料容器。
【請求項４】
請求項１から３の何れか一項に記載の化粧料容器の凹状充填部に、透明のゲル状化粧料を充填してなる、
化粧料製品。
【発明の詳細な説明】
【技術分野】
【０００１】
本発明は、化粧料容器及び化粧料製品に関する。
【背景技術】
【０００２】
化粧料を収容するコンパクト容器などの化粧料容器が周知である。化粧料容器に化粧料を収容してなる化粧料製品の商品価値を高め、購買意欲を高める観点から、その化粧料を充填するための凹状充填部に外観上の楽しさなど、消費者、使用者（以下、「ユーザ」と称する。）にアピールするための工夫を凝らす場合がある。例えば、ファンデーションやアイシャドー等の固形粉末状の化粧料を、化粧料容器の凹状充填部に充填する場合、成形した化粧料表面にロゴや模様を施したり、いわゆる同時多色充填を行う等によって興趣を添える手法が提案されている（例えば、特許文献１を参照。）。
【先行技術文献】
【特許文献】
【０００３】
【特許文献１】特開２００２−１５４９３０号公報
【発明の概要】
【発明が解決しようとする課題】
【０００４】
しかしながら、ゲル（ジェル）状化粧料は、加熱溶解された状態で凹状充填部に充填され、冷却固化した後もある程度の粘性を有する。従って、このようなゲル状化粧料を化粧料容器に収容する場合、上記したような手法、例えば化粧料表面にロゴや模様を施したり、多色充填を行う等の手法を採用することができないという実情があった。
【０００５】
本発明は、上記実情に鑑みてなされたものであり、その目的は、ゲル状化粧料を収容する化粧料容器において、見た目にも楽しく、化粧料製品の商品価値を高めることの可能な技術を提供することにある。
【課題を解決するための手段】
【０００６】
本発明は、以下の構成を備えることで、上記課題を解決することとした。即ち、本発明は、透明のゲル状化粧料を充填するための凹状充填部を少なくとも一つ以上備えた化粧料容器であって、前記凹状充填部は、その充填領域（充填空間）が複数に仕切られることなく単一種類の前記ゲル状化粧料のみが充填されるものであって、少なくとも二つの色に色分けされた底面を有してなる、化粧料容器である。
【０００７】
上述のように、本発明に係る化粧料容器は、単一の凹状充填部を有していてもよいし、複数の凹状充填部を有していてもよい。何れにしても、一の凹状充填部は、例えば仕切り壁などによってその充填空間が複数に区画されることがなく、一繋がりの充填領域に対して単一種類の透明のゲル状化粧料が充填されるように設定されている。
【０００８】
ここで、「単一種類のゲル状化粧料が充填される」とは、一の凹状充填部に対して種類の異なるゲル状化粧料が充填されないことを意味する。ゲル状化粧料の種類を識別、区別するための要素としては、例えばゲル状化粧料の色、透明度、ラメ剤やパール剤に代表される含有物の有無など、ゲル状化粧料の外観を特徴付ける要素を挙げる事ができる。即ち、これらの外観上の特徴点が相違するゲル状化粧料を、別種類の化粧料であると捉えてもよい。当然ながら、化粧料容器に複数の凹状充填部が備えられる場合、一の凹状充填部に充填されるゲル状化粧料と、他の凹充填部に充填されるゲル状化粧料の種類（例えば、色）を相違させてもよい。
【０００９】
本発明によれば、底面が複数色に色分けされた凹状充填部に対して単一種類の透明のゲル状化粧料が充填される。その結果、ユーザは、凹状充填部の底面の各色を、ゲル状化粧料越しに視認することになる。
【００１０】
例えば、凹状充填部の底面が第一底面色と第二底面色の２色に色分けされている場合を考える。そして、凹状充填部の水平方向において、第一底面色が付与された充填領域を第一充填領域とし、第二底面色が付与された充填領域を第二充填領域とする。ここで、凹状充填部に充填されるゲル状化粧料自体の色を、「ゲル色」と称する。凹状充填部のうち、第一充填領域を眺めたときにユーザに視覚される色（以下、「第一視覚色」という。）は、ゲル色と第一底面色の何れとも異なり、これらが合成された色となる。同様に、凹状充填部のうち、第二充填領域を眺めたときにユーザに視覚される色（以下、「第二視覚色」という。）は、ゲル色と第二底面色の何れとも異なり、これらが合成された色となる。
【００１１】
この第一視覚色および第二視覚色は共にゲル色をベースとする色であり、例えば、互いにその明度（濃淡）が相違する色になる。例えば、第一底面色を黒とし、第二底面色を白として凹状充填部の底面を色分けし、ピンク系の透明色に着色したゲル状化粧料を凹状充填部に充填した場合には、ユーザには、第一視覚色が青紫に見え、第二視覚色が白薄ピンクに見える。また、例えばゲル色をグリーン系の透明色とした場合には、第一視覚色が濃緑に見え、第二視覚色が薄緑に見える。
【００１２】
これによれば、実際には、一の凹状充填部に対して単一種類のゲル状化粧料のみが充填されているにも関わらず、まるで多色のゲル状化粧料が充填されているように見える（認識される）のである。従って、本発明によれば、ゲル状化粧料の擬似的な多色充填を実現する事が可能となる。これにより、従来は実現する事の困難であった、ある程度の粘性を有するゲル状化粧料に対しても、外観上の楽しさ、華やかさを付与する事ができる。そのため、化粧料容器にゲル状化粧料を収容してなる化粧料製品としての商品価値を高めることも可能となり、購入者の購買意欲を増幅させる効果も奏する。
【００１３】
本発明では、凹状充填部に充填されるゲル状化粧料は、有色透明であるとより好適である。ゲル状化粧料が無色透明である場合に比べて有色透明である方が、ユーザに、本物の多色充填であるとの錯覚を起こさせ易くなるからである。すなわち、偽物の（擬似的な）多色充填（以下、「擬似多色充填」と称する）であることに気付かせ難くすることができる。ゲル状化粧料が有色透明であれば、凹状充填部における奥行き感が明瞭になり過ぎることがなく、第一視覚色および第二視覚色が共にゲル状化粧品自体に着色された色であるとの錯覚を起こし易くなるからである。
【００１４】
また、前記ゲル状化粧料には、ラメ剤およびパール剤のうち少なくとも何れかが含有されていてもよい。ラメ剤やパール剤は、反射光沢、干渉光沢などの演出効果を発揮する色材の代表例である。ゲル状化粧料に含有されたラメ剤やパール剤などの色材による反射光沢、干渉光沢などの演出効果は、凹状充填部を眺めたユーザに、その奥行き方向（ゲル状化粧料の充填深さ方向）の距離感を掴み難くさせる効果がある。これにより、化粧料容器に収容されたゲル状化粧料が、より一層多色充填されているように見える。
【００１５】
なお、本発明においては、凹状充填部の底面を三つ以上の色を用いて色分けしてもよい。また、「底面の色分け」とは、凹状充填部の底面自体を異なる色に着色することのみならず、凹状充填部の底部に着色シート（紙や、プラスチックなど、材質は特定のものに限定されない。）を配置することで、底面の色分けを行うようにしてもよい。
【００１６】
ところで、凹状充填部に充填されたゲル状化粧料が多色充填であると錯覚するかどうか
は、凹状充填部におけるゲル状化粧料の充填深さ、およびゲル状化粧料の透明度に影響を受けると考えられる。例えば、ゲル状化粧料の透明度が等しい条件下では、ゲル状化粧料の充填深さが深いほど、底面の色分けが反映され難くなる。一方、ゲル状化粧料の充填深さが等しい条件下では、ゲル状化粧料の透明度が低いほど、底面の色分けが反映され難くなる。そして、底面の色分けがゲル色に反映され難くなると、上記錯覚が起こり難くなる。
【００１７】
そこで、本発明において、前記凹状充填部に充填される前記ゲル状化粧料の初期充填深さは、該ゲル状化粧料の透明度に基づいて設定されてもよい。例えば、凹状充填部に充填されるゲル状化粧料の透明度が低いほど、ゲル状化粧料の初期充填深さを浅く（小さく）設定してもよい。また、前記凹状充填部に充填される前記ゲル状化粧料の透明度は、該ゲル状化粧料の初期充填深さに基づいて設定されてもよい。この場合、凹状充填部に充填されるゲル状化粧料の初期充填深さが深いほど、凹状充填部に充填されるゲル状化粧料の透明度を高く設定してもよい。
【００１８】
ここで、本発明は、上述した何れかの化粧料容器の凹状充填部に、透明のゲル状化粧料を充填してなる、化粧料製品としてもよい。この場合、ゲル状化粧料は有色透明であるとより好適である。また、本発明における課題を解決するための手段は、可能な限り組み合わせることができる。
【発明の効果】
【００１９】
本発明によれば、ゲル状化粧料を収容する化粧料容器において、見た目にも楽しく、化粧製品の商品価値を高める等の付加価値を付与することが可能となる。
【図面の簡単な説明】
【００２０】
【図１】実施例１に係るコンパクト容器を示す斜視図である。
【図２】図１におけるＡ−Ａ’矢視断面図である。
【図３】実施例１に係るリップグロスが充填された状態の凹状充填部を上部から眺めた図である。
【図４】実施例３に係るコンパクト容器を示す斜視図である。
【発明を実施するための形態】
【００２１】
以下に図面を参照して、この発明を実施するための形態を例示的に詳しく説明する。尚、本実施の形態に記載されている構成要素の寸法、材質、形状、その相対配置等は、特に特定的な記載がない限りは、発明の技術的範囲をそれらのみに限定する趣旨のものではない。
【００２２】
＜実施例１＞
実施例１に係る化粧料容器及び化粧料製品について図面に基づいて説明する。図１は、実施例１に係るコンパクト容器１を示す斜視図である。コンパクト容器１は、透明のゲル状化粧料であるリップグロスＧＬを収容する化粧料容器である。リップグロスとは、周知の通りリップメイクに使われるオイルゲル化粧料である。コンパクト容器１は、容器本体１１、蓋体１２、及びヒンジ構造１３を備え、容器本体１１と蓋体１２がヒンジ構造１３によって回転自在に連結されている。
【００２３】
容器本体１１には、リップグロスＧＬを充填するための凹部である凹状充填部１４を備えている。この実施例において、容器本体１１には、凹状充填部１４が二つ形成されており、以下、それぞれを第一凹状充填部１４ａ、第二凹状充填部１４ｂとする。但し、凹状充填部１４の数はこれに限定されるものではなく、一つであってもよいし、三つ以上であってもよい。本実施例における凹状充填部１４ａ，１４ｂは、容器本体１１と一体に構成
されているが、容器本体１１と着脱可能に設けられた中皿にリップグロスＧＬを収容する中皿充填形式を採用してもよい。
【００２４】
ところで、コンパクト容器１に代表される化粧料容器には、化粧料を単に収容する容器としての機能に留まらず、消費者の購買意欲を刺激して化粧料製品の商品価値を高める機能が求められる。その典型例として、コンパクト容器に収容された化粧料をユーザが眺めた際に、その外観上の楽しさや、華やかさ等をユーザにアピールする手法が挙げられる。
【００２５】
ところで、コンパクト容器１への収容対象となる化粧料が、ファンデーションやアイシャドー等の固形粉末状の化粧料であれば、例えば加圧成形した化粧料の表面にロゴや模様を施し、或いは多色充填を行う等により、興趣を添える事が可能である。しかし、リップグロス等の所謂ゲル状化粧料は粘性を有しており、上記のように化粧料自体にロゴや模様を施す事が困難である。また、一つの凹状充填部１４に多色充填を試みようとしても、リップグロスＧＬはゲル状であるが故に、異色同士のリップグロスＧＬが混ざり合ってしまい、うまく多色充填することは難しい。
【００２６】
そこで、本実施例では、凹状充填部１４ａ，１４ｂの各々に充填されているリップグロスＧＬが、見た目には（外観上は）多色充填されていると思わせることの可能な擬似多色充填を実現し、リップグロスＧＬが充填された凹状充填部１４に外観上の楽しさを付与すること特徴とする。以下、コンパクト容器１の特徴点について説明する。
【００２７】
図２は、図１におけるＡ−Ａ’矢視断面図である。本実施例において、コンパクト容器１の各凹状充填部１４ａ，１４ｂには、有色透明のリップグロスＧＬが充填されている。ここでは、第一凹状充填部１４ａにピンク系のリップグロス（以下、符号「ＧＬｐ」で表す。）が充填され、第二凹状充填部１４ｂにグリーン系のリップグロス（以下、符号「ＧＬｇ」で表す。）が充填されている。
【００２８】
ピンク系のリップグロスＧＬｐおよびグリーン系のリップグロスＧＬｇには共に、ラメ剤が含有されている。ラメ剤は、例えば反射光沢或いは干渉光沢の著しい偏平粉体であり、化粧料で使用されているものであれば特段の限定なく使用できる。例えば、ポリエチレンテレフタレートやエポキシ樹脂の薄膜を積層した小片、ポリエチレンテレフタレートやエポキシ樹脂の薄膜に金属酸化物被覆層をはさみ積層した小片、ポリエチレンテレフタレートやエポキシ樹脂の薄膜にアルミニウムなどの金属を蒸着したものなどが例示できる。但し、本発明に適用されるゲル状化粧料に、上記ラメ剤は必須の構成ではない。
【００２９】
各凹状充填部１４ａ，１４ｂは、面１５及び側面１６を有しており、これらによってリップグロスＧＬの充填領域（充填空間）が形成されている。尚、各凹状充填部１４ａ，１４ｂにおけるリップグロスＧＬの充填領域は、複数に仕切られることなく、一繋がりの充填空間に単一種類のリップグロスＧＬのみが充填されている。この単一種類とは、リップグロスＧＬの色、光透過率に関連する透明度、ラメ剤（材）やパール剤（材）に代表される色材の種類、及びその有無など、リップグロスＧＬの外観を特徴付ける要素が同等であることを指す。
【００３０】
コンパクト容器１における最大の特徴点は、各凹状充填部１４ａ，１４ｂにおける底面１５の各々が、複数の色に色分けされている点にある。この実施例では、底面１５を黒色と白色の二種類に色分けする場合を例として説明する。以下、底面１５を色分けするために使用される色を、「塗り分け色」と称する。
【００３１】
容器本体１１は、例えば白色のＡＳ樹脂によって形成されている。従って、各凹状充填部１４ａ，１４においても、その底面１５の下地色（本来の色）は白色である。このよう
な下地色を有する底面１５に対して、下地色である白と異なる色（ここでは、黒色）の薄いプラスチックシート（以下、「カラーシート」という）１７を貼り付けることで、底面１５を黒色と白色とに色分けしている。なお、ＡＳ樹脂（AS resin）とはアクリロニトリル(Acrylonitrile)、スチレン(Stylene)のコポリマー（共重合化合物）である。
【００３２】
図３は、リップグロスＧＬが充填された状態の凹状充填部１４を上部から眺めた図である。図示のように、凹状充填部１４の底面１５は、黒色と白色に色分けされる事で、チェック模様（チェッカーフラッグ模様）が付与されている。各凹状充填部１４ａ，１４ｂの水平方向において、底面１５に黒色が付与された領域（黒色のカラーシート１７が貼付された領域）を「黒色充填領域Ｓｂｋ」と称し、白色が付与された領域（黒色のカラーシート１７が貼付されていない領域）を「白色充填領域Ｓｗｈ」と称する。
【００３３】
凹状充填部１４に充填されるリップグロスＧＬは、ピンク系（ＧＬｐ）、グリーン系（ＧＬｇ）のように、有色であるため、リップグロスＧＬ越しに凹状充填部１４を眺めた場合、ユーザの目に映る色とは、底面１５の色とリップグロスＧＬの色とが互いに影響を及ぼし合い、融合された色となる。即ち、リップグロスＧＬ自体の色を「グロス固有色」と称すと、黒色充填領域Ｓｂｋを眺めたユーザに視覚される色（以下、「第一視覚色」という。）は、黒でもグロス固有色でもなく、これらが融合された色となる。同様に、白色充填領域Ｓｗｈを眺めたユーザに視覚される色（以下、「第二視覚色」という。）は、白でもグロス固有色でもなく、これらが融合された色となる。
【００３４】
第一視覚色および第二視覚色は、共にグロス固有色をベースとしつつも、互いに相違する色となる。例えば、黒色充填領域Ｓｂｋでは、グロス固有色が底面１５の黒色の影響を受けて暗くなることで、第一視覚色がグロス固有色よりも濃い色としてユーザに把握される。一方、白色充填領域Ｓｗｈでは、グロス固有色が底面１５の白色の影響を受けて明るくなることで、第二視覚色がグロス固有色よりも淡い色としてユーザに把握される。このようにして、第一視覚色および第二視覚色は、グロス固有色を基調としつつ、互いに濃淡が相違する色の組み合わせとなる。
【００３５】
この実施例では、第一凹状充填部１４ａにピンク系のリップグロスＧＬｐ、即ちグロス固有色がピンク（桃色）のリップグロスが充填されている。この場合、底面１５における黒色の影響を受ける第一視覚色は、例えば「青紫」として把握される。また、底面１５における白色の影響を受ける第二視覚色は、例えば「白薄ピンク」として把握される。一方、第二凹状充填部１４ｂには、グロス固有色がグリーン（緑色）のリップグロスが充填されている。この場合、底面１５の黒色の影響を受ける第一視覚色は例えば「濃緑」として把握され、底面１５の白色の影響を受ける第二視覚色は例えば「薄緑」として把握される。
【００３６】
以上のように、実際には単一種類のリップグロスＧＬが凹状充填部１４ａ，１４ｂにそれぞれ充填されているにも関わらず、凹状充填部１４ａ，１４ｂの各々にリップグロスＧＬが多色充填されているように見える。これにより、リップグロスＧＬの擬似多色充填を好適に実現することができる。従って、ユーザは、コンパクト容器１の蓋体１２を開く度に、擬似的に多色充填されたリップグロスＧＬの模様（この実施例では、チェック模様）を眺める事になるため、興趣に富んだものになる。よって、従来は困難とされていた、粘性を有するゲル状化粧料に対して、外観上の楽しさや華やかさといった付加価値を付与することができる。そのため、コンパクト容器１にリップグロスＧＬを収容してなる化粧料製品の商品価値を高めることができ、購入者の購買意欲を増幅させることもできる。
【００３７】
本実施例において、凹状充填部１４の底面１５を黒と白の２色で色分けしたが、この組み合わせである必要はなく、また、３種類以上の色を用いて色分けしてもよい。塗り分け
色の選定は、凹状充填部１４に充填されるリップグロスＧＬの種類、ターゲットとする第一視覚色、第二視覚色の組み合わせに基づいて行うとよい。つまり、ユーザが凹状充填部１４に充填されたリップグロスＧＬを眺めた際、底面１５の色が相違する領域毎に濃淡に異なって見えるように、その塗り分け色を選定するとよい。
【００３８】
また、本実施例において、各凹状充填部１４ａ，１４ｂには、着色された透明のリップグロスＧＬを充填するようにしたが、このようにしたのは、これを眺めたユーザに本物の多色充填であるとの錯覚を起こさせ易くなるからである。充填されるリップグロスＧＬが有色透明であれば、各凹状充填部１４ａ，１４ｂを眺めた際に奥行き感が明瞭になり過ぎることがなく、底面１５が複数色に色分けされていることに、より気付き難くなるからである。但し、これは無色透明のリップグロスＧＬに対する本発明の適用を妨げるものではない。
【００３９】
更に、各凹状充填部１４ａ，１４ｂに充填されるリップグロスＧＬｐ，ＧＬｇには、ラメ剤が含有されているため、その反射光沢、干渉光沢などの演出効果によって、各凹状充填部１４ａ，１４ｂにおける奥行き感、つまりリップグロスＧＬの充填深さ方向の距離感が、ユーザにとって掴みにくくなる。これによって、各凹状充填部１４ａ，１４ｂに充填されているリップグロスＧＬが多色充填され、或いは模様が付与されているとの錯覚を、ユーザに更に与え易くなる。なお、ラメ剤の代わりに、或いは併用してパール剤をリップグロスＧＬに含有させてもよく、ラメ剤の場合とほぼ同様の効果を奏する。
【００４０】
＜評価＞
凹状充填部に充填された状態のピンク系のリップグロスＧＬｐと、凹状充填部に充填された状態のグリーン系のリップグロスＧＬｇについて、分光色彩計（日本電色工業株式会社製、品番：ＳＤ−５０００）を用いて、国際照明委員会（CIE）のＬ＊ａ＊ｂ＊表色系
に準拠して測定を行った。測定値のうち、Ｌ＊値は明度（濃度）を表し、０．０〜１００．０までの値をとる。０．０が黒、１００．０が白を意味する。ａ＊値は、プラス側で赤味が増し、マイナス側で緑味が増すことを表す。ｂ＊値は、プラス側で黄味が増し、マイナス側で青味が増すことを表す。
【００４１】
測定条件としては、黒色の樹脂によって形成された凹状充填部の底面に、白いプラスチックシートを貼りつけて測定を行った。ここでは、底面の全領域のうち、片側半分に白シートを貼りつけ、残り半分は黒い樹脂面を露出させた。従って、白シートを貼りつけた部分（表中、「白シート」と表記する。）が前述の白色充填領域Ｓｗｈに相当し、黒色の底面が剥き出しになっている部分（表中、「黒下地」と表記する。）が黒色充填領域Ｓｂｋに相当する。なお、リップグロスＧＬを充填する前の状態において、白色充填領域Ｓｗｈおよび黒色充填領域Ｓｂｋの色彩を測定したところ、白色充填領域ＳｗｈのＬ＊値、ａ＊値、ｂ＊値は、それぞれ９１．３９，−１．８９，７．９であった。また、黒色充填領域ＳｂｋのＬ＊値、ａ＊値、ｂ＊値は、それぞれ１４．２７，−０．６９，−１．２９であった。
【００４２】
凹状充填部にリップグロスＧＬを充填した状態における測定結果は表１に示す通りである。なお、ピンク系リップグロスＧＬｐおよびグリーン系リップグロスＧＬｇにおけるそれぞれの充填深さは１．５ｍｍとした。表１に示す結果のように、ピンク系のリップグロスＧＬｐについては、白色充填領域Ｓｗｈに比べて黒色充填領域Ｓｂｋの方が、ａ＊値大きく、ｂ＊値が小さい。従って、白色充填領域Ｓｗｈよりも黒色充填領域Ｓｂｋの方が、赤味と青味が増したことがわかる。また、グリーン系のリップグロスＧＬｇについては、白色充填領域Ｓｗｈに比べて黒色充填領域Ｓｂｋの方が、ａ＊値が小さく、ｂ＊値が大きい。従って、白色充填領域Ｓｗｈよりも黒色充填領域Ｓｂｋの方が、緑味と黄味が増したことがわかる。従って、同じ種類のリップグロスＧＬが充填されているにもかかわらずそ
の色彩に変化が生じ、擬似的な多色充填が実現されていることがわかる。
【００４３】
【表１】
0005552355.tif 000002
【００４４】
なお、本実施例において、コンパクト容器１の凹状充填部１４に充填される化粧料は、透明のゲル状化粧料であればリップグロスに限定されるものではない。また、この実施例のように、凹状充填部１４が複数形成されている場合、全ての凹状充填部に対して擬似多色充填を行わなくてもよい。つまり、一部の凹状充填部１４に対して本発明を適用してもよい。この場合、擬似多色充填の対象とならない凹状充填部に関しては、あらゆる種類の化粧料を充填してもよく、ゲル状化粧料である必要もない。また、本実施例では、凹状充填部１４の底面１５を複数の塗り分け色を用いて底面１５にチェック模様を付与しているが、他の模様を付与しても構わない。例えば、底面１５にハート型模様、花びら模様、星形模様、その他の模様、或いはこれらの組み合わせ模様などを付与してもよい。
【００４５】
＜実施例２＞
実施例２の基本構成は、図１乃至３に示したコンパクト容器１と同様である。本実施例では、凹状充填部１４におけるリップグロスＧＬの初期充填深さＤｐを、凹状充填部１４に充填されるリップグロスＧＬの透明度に基づいて設定する。ここで、初期充填深さＤｐは、容器本体１１の凹状充填部１４に対するリップグロスＧＬの充填時における充填深さである。
【００４６】
ユーザが凹状充填部１４を眺めた際、リップグロスＧＬが多色充填されていると思うかどうかは、凹状充填部におけるゲル状化粧料の充填深さ、およびゲル状化粧料の透明度に影響を受ける。そこで、本実施形態では、各凹状充填部１４ａ，１４ｂに充填されるリップグロスＧＬの初期充填深さＤｐを、リップグロスＧＬの透明度に基づいて設定するようにした。
【００４７】
ここで、リップグロスＧＬの透明度が等しい条件下では、リップグロスＧＬの充填深さが深いほど、凹状充填部１４における底面１５の色分けが反映され難くなる。一方、リップグロスＧＬの充填深さが等しい条件下では、リップグロスＧＬの透明度が低いほど、底面１５の色分けが反映され難くなる。そして、グロス固有色に対して底面１５の色分けが反映されないと、黒色充填領域Ｓｂｋに対応する第一視覚色と、白色充填領域Ｓｗｈに対応する第二視覚色とに差異が現れにくくなる。
【００４８】
そこで、本実施例では、凹状充填部１４に充填されるリップグロスＧＬの透明度が低いほど、リップグロスＧＬの初期充填深さＤｐを浅く（小さく）設定するようにした。リッ
プグロスＧＬの光透過率が低いほど上記初期充填深さＤｐを設定してもよい。例えば、第一凹状充填部１４ａに充填されるピンク系リップグロスＧＬｐよりも第二凹状充填部１４ａに充填されるグリーン系リップグロスＧＬｇの方が、その透明度が低く設定されている場合、ピンク系リップグロスＧＬｐに比べてグリーン系リップグロスＧＬｇの充填深さを浅くするとよい。
【００４９】
これによれば、リップグロスＧＬを眺めたユーザに、その透明度にかかわらず、第一視覚色および第二視覚色を異なる色として把握させることができる。これにより、コンパクト容器１に収容されているリップグロスＧＬに対して、より好適に外観上の興趣を添えることができる。
【００５０】
なお、本願発明者の鋭意研究により、凹状充填部１４におけるリップグロスＧＬの初期充填深さＤｐは、概ね１．０ｍｍ〜２．０ｍｍ程度が適正な深さであるとの知見が得られている。また、コンパクト容器１の変形例として、凹状充填部１４に充填される初期充填深さＤｐに応じて、その凹状充填部１４に充填するリップグロスＧＬの透明度を設定してもよい。例えば、凹状充填部１４に充填されるゲル状化粧料の初期充填深さＤｐがより深く設定される条件ほど、その凹状充填部１４に対して、より透明度の高いリップグロスＧＬを充填するようにするとよい。
【００５１】
＜実施例３＞
実施例３におけるコンパクト容器１は、リップグロスＧＬの充填形式として、いわゆる中皿充填方式を採用している。図４は、実施例３に係るコンパクト容器を示す斜視図である。容器本体１１には中皿収容部２１が形成されている。中皿収容部２１は、リップグロスＧＬが充填された中皿２０を収容するための凹部である。図示の例では、第一中皿収容部２１ａと第二中皿収容部２１ｂが容器本体１１に形成されている。第一中皿収容部２１ａには第一中皿２０ａが収容され、第二中皿収容部２１ｂには第二中皿２０ｂが収容されるようになっている。本実施例においては、第一中皿２０ａおよび第二中皿２０ｂが本発明における凹状充填部に相当する。
【００５２】
第一中皿２０ａは黒色のＡＳ樹脂（以下、「黒色樹脂」という）により形成され、第二中皿２０ｂは無色透明のＡＳ樹脂（以下、「透明樹脂」という）により形成されている。本実施例においても、第一中皿２０ａおよび第二中皿２０ｂの底面２０１は、複数の異なる色によって色分けされている。第一中皿２０ａの底面２０１は、その全領域のうちの片側半分のみに白色のカラーシート１７１が貼付されている。一方、第二中皿２０ｂの底面２０１は、その全領域のうちの片側半分に白色のカラーシート１７１が貼付され、残りの半分に黒色のカラーシート１７２が貼付されている。
【００５３】
このように構成されたコンパクト容器１では、第一中皿２０ａの縁部２０２には黒色が付与されているのに対して、第二中皿２０ｂの縁部２０２は無色透明となっている点で相違する。つまり、第一中皿２０ａと第二中皿２０ｂにおいては、縁壁部２０２の透明度が相違するように構成されている。第一中皿２０ａでは、縁壁部２０２に黒色が付与されているため、その内部に充填されているリップグロスＧＬをより一層濃く見せることができる。
【００５４】
具体例を幾つか挙げると、各中皿２０ａ，２０ｂにピンク系の透明なリップグロスＧＬを充填した場合、第一中皿２０ａは濃いピンクに見えるが、第二中皿２０ｂは白薄ピンクに見える。また、各中皿２０ａ，２０ｂにグリーン系の透明なリップグロスＧＬを充填した場合、第一中皿２０ａは濃緑に見えるが、第二中皿２０ｂは薄緑に見える。また、各中皿２０ａ，２０ｂに無色透明（クリア色）のリップグロスＧＬを充填した場合、第一中皿２０ａは灰色に見え、第二中皿２０ｂはクリア色に見える。なお、これらの具体的な色に
ついては、あくまでも例示であり、限定的なものではない。
【００５５】
以上のように、本実施例におけるコンパクト容器１では、中皿２０の縁壁部２０２の透明度を相違させることにより、充填されるリップグロスＧＬを濃く見せたり、淡く見せたりすることができる。従って、リップグロスＧＬを眺めたユーザによって把握される色を、ターゲットとする色（すなわち、ユーザに見せたい色）に、より一層近づけることができる。
【００５６】
本実施例では、第一中皿２０ａにおける縁壁部２０２の全領域に対して黒色を付与しているが、一部の領域に対してのみ着色してもよい。例えば、縁壁部２０２のうち、リップグロスＧＬをより濃く見せたい領域に対応する部分の透明度をより低くし、逆に、より淡く見せたい領域に対応する部分の透明度をより高くしてもよい。また、本実施例では、例示的に中皿２０の縁壁部２０２に黒色を付与しているが、もちろん他の色を採用してもよい。
【００５７】
以上本発明について説明したが、本発明の化粧料容器、及び化粧料製品に関する技術はこれらに限らず、可能な限りこれらの組み合わせを含むことができる。なお、実施形態では本発明を実施する形態を説明したが、本発明の本旨を逸脱しない範囲内において上記した実施形態には種々の変更を加えてもよい。また、本発明は、各実施形態において説明したコンパクト容器１の凹状充填部にリップグロスＧＬを充填してなる化粧料製品として捉えることができる。
【符号の説明】
【００５８】
１・・・コンパクト容器
１１・・・容器本体
１２・・・蓋
１３・・・ヒンジ構造
１４・・・凹状充填部
１５・・・底面
【図１】
0005552355.tif 000003
【図２】
0005552355.tif 000004
【図３】
0005552355.tif 000005
【図４】
0005552355.tif 000006